【手続補正書】
【提出日】平成20年6月6日(2008.6.6)
【手続補正１】
【補正対象書類名】明細書
【補正対象項目名】０００８
【補正方法】変更
【補正の内容】
【０００８】
更にもう１つの問題として、従来の照準器を通して見る時、前記照準器を通して見る光景の他の部分から潜在的な標的を特定、および／または区別することが困難な場合がある。更にもう１つの要因として、小火器および照準器を使用する狩猟者あるいはその他の個人がしばしば別途の器材をも携行しなければならないことが挙げられる。例としては、紙の地図、コンパス、レーザー距離計、自己完結型全地球測位システム（ＧＰＳ）装置や、潜在的な標的である様々な種類の動物を呼び寄せるように作られた呼び子などがある。
この出願の発明に関連する先行技術文献情報としては、以下のものがある（国際出願日以降国際段階で引用された文献及び他国に国内移行した際に引用された文献を含む）。
【特許文献１】米国特許第３，５４５，３５６号明細書
【特許文献２】米国特許第３，６４５，６０２号明細書
【特許文献３】米国特許第３，７８５，２６１号明細書
【特許文献４】米国特許第３，８７１，７４１号明細書
【特許文献５】米国特許第３，９１１，４５１号明細書
【特許文献６】米国特許第３，９３６，８２２号明細書
【特許文献７】米国特許第３，９９４，５９７号明細書
【特許文献８】米国特許第４，２１９，２６３号明細書
【特許文献９】米国特許第４，２９０，２１９号明細書
【特許文献１０】米国特許第４，３０９，０９５号明細書
【特許文献１１】米国特許第４，３１３，２７３号明細書
【特許文献１２】米国特許第４，４１７，８１４号明細書
【特許文献１３】米国特許第４，４５２，４５８号明細書
【特許文献１４】米国特許第４，５４１，１９１号明細書
【特許文献１５】米国特許第４，５３１，０５２号明細書
【特許文献１６】米国特許第４，５５３，９４３号明細書
【特許文献１７】米国特許第４，５６１，２０４号明細書
【特許文献１８】米国特許第４，５８４，７７６号明細書
【特許文献１９】米国特許第４，６３０，９１１号明細書
【特許文献２０】米国特許第４，６４１，９３１号明細書
【特許文献２１】米国特許第４，６７１，１６５号明細書
【特許文献２２】米国特許第４，７８７，７３９号明細書
【特許文献２３】米国特許第４，８３５，６２１号明細書
【特許文献２４】米国特許第４，９０７，０２２号明細書
【特許文献２５】米国特許第４，９３６，１９０号明細書
【特許文献２６】米国特許第４，９６５，４３９号明細書
【特許文献２７】米国特許第４，９７０，５８９号明細書
【特許文献２８】米国特許第４，９８９，０２４号明細書
【特許文献２９】米国特許第５，００１，９８５号明細書
【特許文献３０】米国特許第５，０２０，２６２号明細書
【特許文献３１】米国特許第５，０２６，１５８号明細書
【特許文献３２】米国特許第５，２８５，２７３号明細書
【特許文献３３】米国特許第５，２８７，６４４号明細書
【特許文献３４】米国特許第５，３４７，７４０号明細書
【特許文献３５】米国特許第５，３６６，２２９号明細書
【特許文献３６】米国特許第５，３７５，０７２号明細書
【特許文献３７】米国特許第５，４０６，７３０号明細書
【特許文献３８】米国特許第５，４２５，２９９号明細書
【特許文献３９】米国特許第５，４４２，４８３号明細書
【特許文献４０】米国特許第５，４５５，８６８号明細書
【特許文献４１】米国特許第５，４５９，６９６号明細書
【特許文献４２】米国特許第５，４８３，３６２号明細書
【特許文献４３】米国特許第５，４９１，９１９号明細書
【特許文献４４】米国特許第５，５４４，１２９号明細書
【特許文献４５】米国特許第５，５８９，９０３号明細書
【特許文献４６】米国特許第５，６４１，２８８号明細書
【特許文献４７】米国特許第５，６８６，６９０号明細書
【特許文献４８】米国特許第５，８２６，３６０号明細書
【特許文献４９】米国特許第５，９１７，７７５号明細書
【特許文献５０】米国特許第５，９７３，３１５号明細書
【特許文献５１】米国特許第５，９７３，９９８号明細書
【特許文献５２】米国特許第５，９９１，０４３号明細書
【特許文献５３】米国特許第６，０００，１６３号明細書
【特許文献５４】米国特許第６，００５，７１１号明細書
【特許文献５５】米国特許第６，１０５，０６０号明細書
【特許文献５６】米国特許第６，１７４，２８８号明細書
【特許文献５７】米国特許第６，２４７，２５９号明細書
【特許文献５８】米国特許第６，２６９，５８１号明細書
【特許文献５９】米国特許第６，３６３，２２３号明細書
【特許文献６０】米国特許第６，３７３，６２８号明細書
【特許文献６１】米国特許第６，４２５、６９７号明細書
【特許文献６２】米国特許第６，４４９，８９２号明細書
【特許文献６３】米国特許第６，４７１，５６５号明細書
【特許文献６４】米国特許第６，５１６，６９９号明細書
【特許文献６５】米国特許第６，５３９，６６１号明細書
【特許文献６６】米国特許第６，５８０，８７６号明細書
【特許文献６７】米国特許第６，６７８，３９５号明細書
【特許文献６８】米国特許第６，９６７，７７５号明細書
【特許文献６９】米国特許第６，９８８，３３１号明細書
【特許文献７０】米国特許第７，０８９，８４５号明細書
【特許文献７１】米国特許第７，１２１，０３６号明細書
【特許文献７２】米国特許第７，１２４，５３１号明細書
【特許文献７３】米国特許第７，２１０，２６２号明細書
【特許文献７４】米国特許第７，２５５，０３５号明細書
【特許文献７５】米国特許第７，２９２，２６２号明細書
【特許文献７６】米国特許出願公開第２００２/０１９１２８２号明細書
【特許文献７７】米国特許出願公開第２００２/０１９７５８４号明細書
【特許文献７８】米国特許出願公開第２００４/００２００９９号明細書
【特許文献７９】米国特許出願公開第２００４/００２５３９６号明細書
【特許文献８０】米国特許出願公開第２００４/００４７５８６号明細書
【特許文献８１】米国特許出願公開第２００４/０２３１２２０号明細書
【特許文献８２】米国特許出願公開第２００４/００７４１３２号明細書
【特許文献８３】米国特許出願公開第２００５/００１８０４１号明細書
【特許文献８４】米国特許出願公開第２００５/０２６８５２１号明細書
【特許文献８５】米国特許出願公開第２００６/０００５４４７号明細書
【特許文献８６】米国特許出願公開第２００６/００１０７６０号明細書
【特許文献８７】米国特許出願公開第２００６/００４８４３２号明細書
【特許文献８８】米国特許出願公開第２００６/０１３７２３５号明細書
【特許文献８９】米国特許出願公開第２００６/０２２５３３５号明細書
【特許文献９０】米国特許出願公開第２００６/０２４８７７７号明細書
【特許文献９１】独国特許出願公開第１０１３６２７８号明細書
【特許文献９２】欧州特許第０１６２４９３号明細書
【特許文献９３】欧州特許第０２７６０９９号明細書
【特許文献９４】欧州特許第０５３５４１０号明細書
【特許文献９５】欧州特許第０９８５８９９号明細書
【特許文献９６】欧州特許第１３０４５３９号明細書
【特許文献９７】仏国特許出願公開第２．０４４．４６５号明細書
【特許文献９８】仏国特許出願公開第２．１８１．５００号明細書
【特許文献９９】台湾特許第４２１６０５号明細書
【特許文献１００】台湾特許第４３１０９１号明細書
【特許文献１０１】台湾特許第５８５２５４号明細書
【特許文献１０２】国際公開第ＷＯ０２／４６８２２号パンフレット
【特許文献１０３】国際公開第ＷＯ８５／０３１１８号パンフレット
【特許文献１０４】国際公開第ＷＯ９６／４１９９８号パンフレット